(57)【特許請求の範囲】
【請求項１】
（１）水と、（２）染料と、（３）カチオンアミドアミンコポリマーと、を含むインク組成物であって、前記（３）カチオンアミドアミンコポリマーが、下記一般式：
0004353572.tif 000015
であり、ここで、Ｘは、Ｃｌ- 、Ｂｒ- 、Ｉ- 、ＨＳＯ4 - 、ＨＳＯ3 - 、ＳＯ42- 、ＳＯ32- 、ＣＨ2 ＳＯ3 - 、ＣＨ3 ＳＯ3 - 、ＣＨ3 Ｃ6 Ｈ4 ＳＯ3 - 、ＮＯ3- 、ＨＣＯＯ- 、ＣＨ3 ＣＯＯ- 、ＨＣＯ3 - 、ＣＯ32- 、Ｈ2 ＰＯ4 - 、ＨＰＯ42- 、ＰＯ43- 、ＳＣＮ- 、ＢＦ4 - 、ＣｌＯ4 - 、又はＳＳＯ3 - のアニオンであり、ｎは２乃至１０００の整数であり、「Ａ」は次式のとおりであり：
0004353572.tif 000016
「Ｂ」は、以下の（ａ）及び（ｂ）から成る群より選択され、（ａ）は：
0004353572.tif 000017
であり、ここで、ｐは１乃至１２の整数であり、（ｂ）は次式のウレイド：
0004353572.tif 000018
である、前記インク組成物。
【発明の詳細な説明】
【０００１】
【発明の属する技術分野】
本発明はインク組成物並びにその調製及び使用プロセスに関する。更に詳細には、本発明はインクジェット印刷プロセスでの使用に適した組成物に関する。
【０００２】
【従来の技術】
米国特許第５、２５０、１０７号は、耐水性のインク組成物及びその製造方法を開示する。引き抜き可能な水素原子を持つ少なくとも１つの官能基（例えば、−ＣＯＯＨ、−ＮＨ2 、又は−ＯＨ）を有する選択された化学染料は、アンモニウムジルコニウムポリマー塩（例えば、アンモニウムジルコニウム炭酸塩、アンモニウムジルコニウム酢酸塩、アンモニウムジルコニウム硫酸塩、アンモニウムジルコニウムリン酸塩、及びアンモニウムジルコニウムシュウ酸塩）と化合する。得られた混合物は、約０．０１〜５．０重量％のアンモニウムジルコニウムポリマー塩と、約０．５〜５．０重量％の化学染料と、を含有するのが好ましい。混合物の脱水の際、アンモニウムジルコニウムポリマー塩及び化学染料は、安定性及び耐水性の架橋された染料錯体を形成する。混合物は、サーマルインクジェット又は他の印刷システムを用いて種々の基体（例えば紙）上へ分配されることができる。
【０００３】
米国特許第４、２６７、０８８号はマーキングインクとして特に有用なコーティングを開示する。ここでは、エピクロロヒドリン変性ポリエチレンイミン及びエチレンオキシド変性ポリエチレンイミンが水溶液中で協働し、多くの材料に付着性で多くの有機溶媒に耐性であるが水で容易に除去可能な付着物を形成する応用が可能な組成物を形成する。
【０００４】
米国特許第４、１９７、１３５号は、水溶性染料と、１分子当たり７個以上の窒素原子を有するポリアミンと、を含むインクジェットプリンタで使用するためのインクを開示する。インク組成物のｐＨは８以上であり、ｐＨの上限は染料の分解次第である。インクは、ポリアミン添加剤を用いない同等のインク調合物よりも耐水性が改良されている。
【０００５】
米国特許第４、６５９、３８２号は、多量の水と、ヒドロキシエチル化ポリエチレンイミンポリマーと、染料成分と、を含むインクジェットインク組成物を開示する。ポリマーには、約６５乃至約８０重量パーセントのヒドロキシエチル基が取り込まれている。
【０００６】
米国特許第５、０１９、１６６号は、染料と、液体媒体と、ポリオキシアルキレート化エーテル、アニオンバイテイルフルオロチオアルキル、アルキルアリールスルホン酸塩、アルキルアミン第４級塩、及びその混合物から成る群より選択される界面活性剤と、を含むサーマルインクジェット印刷用組成物を開示する。また、インク組成物をサーマルインクジェットプリンタから基体上へ画像状に噴出させることを含む、画像を生成するためのプロセスも開示される。
【０００７】
特開昭５７−１９８７６８号は、酸性染料及び／又は直接染料、カチオン水溶性樹脂、水溶性有機溶媒、並びに水から製造される水ベース型のインクを開示する。
【０００８】
既知の組成物及びプロセスはその意図された目的には適するが、インクジェット印刷プロセスに適する改良されたインク組成物がなお必要とされている。更に、耐水性（waterfastness ）が改良されたインク組成物が必要とされている。更には、耐ウェットスミア性（wet smear resistance）が改良されたインク組成物が必要とされている。また更に、２つ以上の色が互いに隣接して印刷される場合に色彩間のブリードが減少されたインク組成物が必要とされている。また、カチオンポリマーと錯体化された場合に鮮かな色彩、低コスト、及び高耐水性等の利点を可能にする酸性染料を含むインクジェット印刷用のインク組成物が必要である。また、耐光性が改良されたインク組成物が必要である。更に、インクジェット印刷プロセスでの使用に適し、且つ比較的低い粘度を有するインク組成物が必要である。また更に、優れた耐スミア性を示すインク組成物が必要である。また、インクジェット印刷に適し、インクジェットプリンタのハードウェアにおけるコゲーション(kogation)が減少されたインク組成物が必要とされている。また、インクジェット印刷にとって所望の表面張力値を有するインク組成物が必要とされている。更に、インクジェット印刷プロセスにおいて優れた潜在性を有するインク組成物が必要とされている。また更に、加水分解に関して貯蔵安定性を示すインク組成物が必要とされている。
【０００９】
【発明が解決しようとする課題】
本発明の目的は、上記の利点を有するインク組成物を提供することである。
【００１０】
【課題を解決するための手段】
本発明（又はその特定の実施の形態）のこれらの及び他の目的は、（１）水と、（２）染料と、（３）カチオンアミドアミンコポリマーと、を含むインク組成物を提供することによって達成できる。
【００１１】
【発明の実施の形態】
本発明のインクは、水性液体ビヒクル、染料、及びカチオンアミドアミンコポリマーを含む。液体ビヒクルは水だけで構成されてもよいし、あるいは、水と、エチレングリコール、プロピレングリコール、ジエチレングリコール、グリセリン、ジプロピレングリコール、ポリエチレングリコール、ポリプロピレングリコール、アミド、エーテル、尿素、置換尿素、エーテル、カルボン酸及びその塩、エステル、アルコール、有機スルフィド、有機スルホキシド、スルホン（スルホラン等）、アルコール誘導体、カルビトール、ブチルカルビトール、セルソルブ（cellusolve）、トリプロピレングリコールモノメチルエーテル、エーテル誘導体、アミノアルコール、ケトン、Ｎ−メチルピロリジノン、２−ピロリジノン、シクロヘキシルピロリドン、ヒドロキシエーテル、アミド、スルホキシド、ラクトン、高分子電解質、メチルスルホニルエタノール、イミダゾール、ベタイン、及び他の水溶性又は水に混和性の材料、並びにその混合物のような水溶性又は水に混和性の有機成分と、の混合物で構成されてもよい。水と水溶性又は混和性有機液体との混合物が液体ビヒクルとして選択される場合、水対有機液体の比率は、典型的には約１００：０から約３０：７０の範囲であり、好ましくは約９７：３から約４０：６０の範囲である。液体ビヒクルの非水成分は、一般的に、水の沸点（１００℃）よりも高い沸点を有する湿潤剤又は共溶媒として働く。本発明のインク組成物中に、液体ビヒクルは、典型的にはインクの約８０乃至約９９．９重量パーセント、好ましくはインクの約９０乃至約９９重量パーセントの量で存在するが、量はこれらの範囲外であってもよい。
【００１２】
また、インクはアミン及びアミドのコポリマーを含む。実施の一形態では、このコポリマーは次の一般式のものである。
【００１３】
【化１】
0004353572.tif 000002
【００１４】
ここで、Ｘは、Ｃｌ- 、Ｂｒ- 、Ｉ- 、ＨＳＯ4 - 、ＨＳＯ3 - 、ＳＯ42- 、ＳＯ32- 、ＣＨ2 ＳＯ3 - 、ＣＨ3 ＳＯ3 - 、ＣＨ3 Ｃ6 Ｈ4 ＳＯ3 - 、ＮＯ3 - 、ＨＣＯＯ- 、ＣＨ3 ＣＯＯ- 、ＨＣＯ3 - 、ＣＯ32- 、Ｈ2 ＰＯ4 - 、ＨＰＯ42- 、ＰＯ43- 、ＳＣＮ- 、ＢＦ4 - 、ＣｌＯ4 - 、又はＳＳＯ3 - 等のアニオンである。ｎは繰返しモノマー単位の数を表す整数であり、典型的には約２乃至約１０００、好ましくは約３乃至約２００、より好ましくは約３乃至約１００、更に好ましくは約３乃至約１０であるが、この値はこれらの範囲外であってもよい。「Ａ」は次式のとおりである。
【００１５】
【化２】
0004353572.tif 000003
【００１６】
「Ｂ」は、以下の（ａ）及び（ｂ）から成る群より選択される。（ａ）は次式のモノマーである。
【００１７】
【化３】
0004353572.tif 000004
【００１８】
ここで、ｐは繰返しモノマー単位の数を表す整数であり、典型的には１乃至約１２、好ましくは１乃至約７、更に好ましくは１乃至約４であるが、この値はこれらの範囲外であってもよい。例えば、次式の（ｉ）のｐが７であるアゼレイン酸ジアミド、又は次式の（ii）のｐが４であるアジピン酸ジアミドである。
【００１９】
【化４】
0004353572.tif 000005
【００２０】
（ｂ）は次式のウレイドである。
【００２１】
【化５】
0004353572.tif 000006
【００２２】
２つ又はそれ以上の「Ｂ」のモノマーの混合物をポリマー中で使用することもできる。好ましい実施の一形態では、これらの特定のポリマーは典型的には、「Ａ」と「Ｂ」のモノマー単位を交互に有する縮合ポリマーである。ポリマーの重量平均分子量は典型的には約１０００乃至約１０００００であり、好ましくは約１０００乃至約３００００、更に好ましくは約２０００乃至約５０００であるが、値はこれらの範囲外であってもよい。アミン及びアミドのコポリマーは、例えばローヌプーランク（Rhone-Poulenc:ニュージャージー州クランベリ）から、例えば、上記の式で「Ｂ」のモノマーがアゼレイン酸ジアミドであり、ｎが平均値約１００を有し且つ分子量が約５００００であるMIRAPOL AZ-1、上記の式で「Ｂ」のモノマーがアジピン酸ジアミドであり、ｎが平均値約１００を有し且つ分子量が約５００００であるMIRAPOL AD-1、及び上記の式で「Ｂ」のモノマーがウレイドであり、ｎが平均値約６を有し且つ分子量が約２２６０であるMIRAPOL A-15として市販されている。ポリマーは、好ましくはインクの約０．１乃至約２０重量パーセント、より好ましくはインクの約０．５乃至約１０重量パーセント、更に好ましくはインクの約１乃至約５重量パーセントの所望される量又は適切な量でインク中に存在するが、量はこれらの範囲外であってもよい。
【００２３】
染料は、アニオン染料が好ましいが、カチオン染料及びアニオン染料等を含むあらゆる適切な又は所望の染料でよい。適切な染料の例には、食用黒色１号、食用黒色２号、食用赤色４０号、食用青色１号、及び食用黄色７号等の食用染料、ＦＤ＆Ｃ（食用色素）染料、酸性黒色染料（１、７、９、２４、２６、４８、５２、５８、６０、６１、６３、９２、１０７、１０９、１１８、１１９、１３１、１４０、１５５、１５６、１７２、及び１９４号等）、酸性赤色染料（１、８、３２、３５、３７、５２、５７、９２、１１５、１１９、１５４、２４９、２５４、及び２５６号等）、酸性青色染料（１、７、９、２５、４０、４５、６２、７８、８０、９２、１０２、１０４、１１３、１１７、１２７、１５８、１７５、１８３、１９３、及び２０９号等）、酸性黄色染料（３、７、１７、１９、２３、２５、２９、３８、４２、４９、５９、６１、７２、７３、１１４、１２８、及び１５１号等）、直接黒色染料（４、１４、１７、２２、２７、３８、５１、１１２、１１７、１５４、及び１６８号等）、直接青色染料（１、６、８、１４、１５、２５、７１、７６、７８、８０、８６、９０、１０６、１０８、１２３、１６３、１６５、１９９、及び２２６号等）、直接赤色染料（１、２、１６、２３、２４、２８、３９、６２、７２、及び２３６号等）、直接黄色染料（４、１１、１２、２７、２８、３３、３４、３９、５０、５８、８６、１００、１０６、１０７、１１８、１２７、１３２、１４２、及び１５７号等）、アントラキノン染料、モノアゾ染料、ジスアゾ染料、種々のフタロシアニンスルホン酸塩を含むフタロシアニン誘導体、アザ[18]アヌレン、ホルマザン銅錯体、トリフェノジオキサジン、バーン酸性赤色(Bernacid Red)２ＢＭＮ、ポンタミンブリリアント結合青色(Pontamine Brilliant Bond Blue) Ａ、ポンタミン(Pontamine) 、カロライナカラーアンドケミカル（Carolina Color and Chemical)から市販されているカロ直接トルコ石ＦＢＬ超濃縮物(Caro direct Turquoise FBL Supra Conc.：直接青色１９９号）、モーベイケミカル（Mobay Chemical) から市販されているスペシャルファストトルコ石８ＧＬ液体(Special Fast Turquoise 8GL Liquid：直接青色８６号）、クロンプトンアンドノウルズ（Crompton and Knowles) から市販されている結合内液体トルコ石(Intrabond Liquid Turquoise)ＧＬＬ（直接青色８６号）、アルドリッチケミカル（Aldrich Chemical) から市販されているサイブラクロンブリリアントレッド(Cibracron Brilliant Red) ３８−Ａ（反応赤色４号）、パイラム社（Pylam,Inc.）から市販されているドリマリンブリリアントレッド(Drimarene Brilliant Red) Ｘ−２Ｂ（反応赤色５６号）、モーベイケミカルから市販されているレバフィックスブリリアントレッド(Levafix Brilliant Red) Ｅ−４Ｂ、モーベイケミカルから市販されているレバフィックスブリリアントレッドＥ−６ＢＡ、ＩＣＩアメリカ（ICI America)から市販されているプロシオンレッド(Procion Red）Ｈ８Ｂ（反応赤色３１号）、パイラムから市販されているパイラム認可Ｄ＆Ｃ赤色２８番(Pylam Certified D&C Red #28：酸性赤色９２号）、クロンプトンアンドノウルズから市販されている直接ブリリアントピンクＢグランドクルード(Direct Brilliant Pink B Ground Crude)、サンドズ社（Sandoz, Inc.) から市販されているカルタソルイエローＧＴＦ��レスケーク(Cartasol Yellow GTF Presscake) 、サンドズ社から市販されているタルトラジン特別濃縮物（Tartrazine Extra Conc.：ＦＤ＆Ｃ黄色５番、酸性黄色２３号）、カロライナカラーアンドケミカルから市販されているカロ直接黄色(Carodirect Yellow) ＲＬ（直接黄色８６号）、サンドズ社から市販されているカルタソルイエローＧＴＦ液体スペシャル(Cartasol Yellow GTF Liquid Special)１１０、トリコン(Tricon)から市販されているＤ＆Ｃ黄色１０番 (D&C Yellow #10：酸性黄色３号）、トリコンから市販されているイエローシェード(Yellow Shade)１６９４８、ＢＡＳＦから市販されているベースアシッド黒色(Basacid Black) Ｘ３４、サンドズ社から市販されているカルタブラック(Carta Black) ２ＧＴ、ネオザポンレッド(Neozapon Red)４９２（ＢＡＳＦ）、サビニルブルー(Savinyl Blue)ＧＬＳ（サンドズ）、ルクソールブルー(Luxol Blue)ＭＢＳＮ（モートンチオコール：Morton-Thiokol）、ベースアシッド青色(Basacid Blue)７５０（ＢＡＳＦ）、バーンカラーズ（Berncolors: ニューヨーク州パウキープシー(Poughkeepsie)）から市販されているバーン酸性赤色(Bernacid Red)、ポンタミンブリリアント結合青色(Pontamine Brilliant Bond Blue) 、バーンカラー(Berncolor) A.Y.３４、テロンファストイエロー(Telon Fast Yellow) ４ＧＬ−１７５、ＢＡＳＦのベースアシッド黒色(Basacid Black) ＳＥ  ０２２８、 Pro-Jet（登録商標、プロジェット）黄色１号（直接黄色８６号）、 Pro-Jet（登録商標）マゼンタ１号（酸性赤色２４９号）、 Pro-Jet（登録商標）シアン１号（直接青色１９９号）、 Pro-Jet（登録商標）黒色１号（直接黒色１６８号）、及び Pro-Jet（登録商標）黄色１−Ｇ（直接黄色１３２号）を含むＩＣＩから市販されている染料の Pro-Jet（登録商標）シリーズ、住友化学工業（日本）から市販されているアミニルブリリアントレッド(Aminyl Brilliant Red ）Ｆ−Ｂ、Duasyn（登録商標、デュアシン）直接黒色ＨＥＦ−ＳＦ（直接黒色１６８号）、Duasyn（登録商標）黒色ＲＬ−ＳＦ（反応黒色３１号）、Duasyn（登録商標）直接黄色６Ｇ−ＳＦ  ＶＰ２１６（直接黄色１５７号）、Duasyn（登録商標）ブリリアントイエローＧＬ−ＳＦ  ＶＰ２２０（反応黄色３７号）、Duasyn（登録商標）酸性黄色ＸＸ−ＳＦ  ＬＰ４１３（酸性黄色２３号）、Duasyn（登録商標）ブリリアントレッドＦ３Ｂ−ＳＦ  ＶＰ２１８（反応赤色１８０号）、Duasyn（登録商標）ローダミン(Rhodamine) Ｂ−ＳＦ  ＶＰ３５３（酸性赤色５２号）、Duasyn（登録商標）直接トルコ石ブルー (Duasyn（登録商標） Direct Truquoise Blue) ＦＲＬ−ＳＦ  ＶＰ３６８（直接青色１９９号）、及びDuasyn（登録商標）酸性青色ＡＥ−ＳＦ  ＶＰ３４４（酸性青色９号）等のホースト（Hoechst)から市販されている「無塩」染料のDuasyn（登録商標）商品群、反応黒色染料、反応青色染料、反応赤色染料、及び反応黄色染料等を含む種々の反応染料、並びにその混合物が含まれる。染料は、典型的にはインクの約０．０５乃至約１０重量パーセント、好ましくはインクの約０．１乃至約７重量パーセント、更に好ましくはインクの約１乃至約５重量パーセントの所望される量又は有効量でインク組成物中に存在するが、量はこれらの範囲外でもよい。
【００２４】
本発明の幾つかの実施の形態では、インクは、インク中のコポリマーの溶解度を高めるために、コポリマーに加え、またコポリマーの他にイオン化合物を含む。適切なイオン化合物の一例は、次式のETHOQUAD C/12 等のアルキルアミン第４級塩である。
【００２５】
【化６】
0004353572.tif 000007
【００２６】
ここで、Ｒは１２個の炭素原子を有する長い鎖状のアルキル基であり、ｘ及びｙはエトキシ基の数を表す０、１又は２の整数であり、ｘ＋ｙ＝２である。Ａはアクツォケミー（Akzo Chemie:イリノイ州シカゴ）から市販されている塩化物等のアニオンである。
【００２７】
また、他のあらゆる所望の又は適切なイオン化合物も使用できる。イオン化合物は、少なくとも１つのカチオン及び少なくとも１つのアニオンを含む。適切なカチオンの例には、Ｌｉ+ 、Ｎａ+ 及びＫ+ 等のアルカリ金属カチオンと、Ｍｇ2+及びＣａ2+等のアルカリ土類金属カチオンと、非ポリマー即ちモノマーアンモニウムと、次の一般式のものが含まれる第４級アミンカチオンとが含まれる。
【００２８】
【化７】
0004353572.tif 000008
【００２９】
ここで、Ｒ1 、Ｒ2 、Ｒ3 及びＲ4 はそれぞれ他とは独立的に、水素原子、数はその範囲外であってもよいが好ましくは１乃至約１０個の炭素原子、より好ましくは１乃至約４個の炭素原子を有する（飽和、不飽和、環状及び置換アルキル基を含み、置換アルキル基はエチレンオキシド、ポリエチレンオキシド等のアルコキシ基又はポリアルコキシ基を含み得る）アルキル基、数はその範囲外であってもよいが好ましくは６乃至約１８個の炭素原子、より好ましくは６乃至約１２個の炭素原子を有する置換アリール基を含むアリール基、又は好ましくは７乃至約２０個の炭素原子、より好ましくは７乃至約１３個の炭素原子を有するアリールアルキル基である。ここで、置換アルキル、アリール、及びアリールアルキル基の置換基は、ヒドロキシ基、アミン基、アンモニウム基、シアノ基、ピリジン基、ピリジニウム基、エーテル基、アルデヒド基、ケトン基、エステル基、アミド基、カルボニル基、スルフィド基、スルホキシド基、ホスフィン基、ホスホニウム基、ニトリル基、メルカプト基、ニトロソ基、ハロゲン原子、ニトロ基、スルホン基、アシル基、及びその混合物等であり（しかし、これらに限定はされない）、２つ又はそれ以上の置換基は互いに結合されて環を形成してもよい。この特定の例には、ＮＨ4 + 、Ｎ（ＣＨ3 )4+ 、Ｈ3 ＮＣＨ2 ＣＨ2 ＮＨ32+ 、（Ｈ3 Ｃ)3ＮＣＨ2 ＣＨ2 Ｎ（ＣＨ3)32+ 、イミダゾリウム、第４級化１，４−ジアザビシクロ［２．２．２］オクタン、次式のコリンを含むアンモニウム及び第４級アミンカチオンが挙げられる。
【００３０】
【化８】
0004353572.tif 000009
【００３１】
以上のもの及び類似物、並びにその混合物が特定の例に含まれる。あらゆる所望のアニオンが使用可能である。適切なアニオンの例には、ＳＯ42- 、ＣＯ32- 、ＮＯ32- 、ＣｌＯ42- 、ギ酸塩、酢酸塩及びプロピオン酸塩等の有機酸アニオン、及び次式のアセチルアセトン酸塩を含む。
【００３２】
【化９】
0004353572.tif 000010
【００３３】
また、次式のスクアラートも適切なアニオンである。
【００３４】
【化１０】
0004353572.tif 000011
【００３５】
更に、塩化物、臭化物及びヨウ化物等を含むハロゲン化物、並びにそれらの混合物も適切である。適切な塩の特定の例には、塩化リチウム、臭化リチウム、ヨウ化リチウム、硝酸リチウム、ギ酸リチウム、酢酸リチウム、プロピオン酸リチウム、塩化ナトリウム、臭化ナトリウム、ヨウ化ナトリウム、硝酸ナトリウム、過塩素酸ナトリウム、ギ酸ナトリウム、酢酸ナトリウム、プロピオン酸ナトリウム、塩化カリウム、臭化カリウム、ヨウ化カリウム、ギ酸カリウム、酢酸カリウム、プロピオン酸カリウム、塩化カルシウム、硝酸カルシウム、ギ酸カルシウム、酢酸カルシウム、プロピオン酸カルシウム、塩化マグネシウム、硫酸マグネシウム、ギ酸マグネシウム、酢酸マグネシウム、プロピオン酸マグネシウム、塩化アンモニウム、臭化アンモニウム、ヨウ化アンモニウム、酢酸アンモニウム、ギ酸アンモニウム、硝酸アンモニウム、硫酸アンモニウム、プロピオン酸アンモニウム、塩化テトラメチルアンモニウム、ギ酸テトラメチルアンモニウム、酢酸テトラメチルアンモニウム、プロピオン酸テトラメチルアンモニウム、エチレンジアミンジヒドロクロリド、及び次式の臭化ヘキサメトニウム等の１，４−ジアザビシクロ［２．２．２］オクタン塩が含まれる。
【００３６】
【化１１】
0004353572.tif 000012
【００３７】
更に、塩化イミダゾリウム等のイミダゾール塩、アセチルアセトン酸リチウム等のアセチルアセトン酸塩、テトラメチルアンモニウムスクアラート等のスクアラート、及び塩化コリン等のコリン塩等も適切な塩である。また塩は、Ｚｎ（ＮＨ3)4 等の遷移金属錯体を含む錯体塩であってもよい。
【００３８】
存在する場合、イオン化合物は、典型的にはインクの約０．２乃至約１０重量パーセント、好ましくはインクの約０．５乃至約５重量パーセント、更に好ましくはインクの約１乃至約３重量パーセントの所望される量又は有効量でインク中に存在するが、量はこれらの範囲外であってもよい。
【００３９】
インク組成物は、一般的に、サーマルインクジェット印刷プロセスでの使用に適した粘度を有する。室温（即ち、約２５℃）において、インク粘度は典型的には約１０センチポアズ以下であり、好ましくは約１乃至約５センチポアズであり、更に好ましくは約１乃至約４センチポアズであるが、粘度はこの範囲外でもよい。
【００４０】
本発明のインク組成物は適切な又は所望されるｐＨを有することができる。サーマルインクジェット印刷プロセスのようないくつかの実施の形態では、典型的なｐＨ値は約３乃至約１１であり、好ましくは約５乃至約１０であり、更に好ましくは約７乃至約８であるが、ｐＨはこれらの範囲外であってもよい。
【００４１】
インクジェット印刷に適するインク組成物は適切なプロセスで調製することがきる。典型的には、成分を単純に混合することによってインクは調製される。１つのプロセスは、インクを得るために、全ての成分を互いに混合し、混合物を濾過することを必要とする。成分を混合し、所望されるなら加熱し、濾過するような所望のプロセスに従って従来のインク組成物を調製した後、所望される更なる添加剤を混合物へ添加し、均一な混合物が得られるまで典型的には約５乃至約１０分間、適度に振とうしながら室温で混合することによってインクを調製することができる。あるいは、任意のインク添加剤は、全ての成分を混合し、所望されるなら加熱し、濾過するような所望の手順にしたがって行われるインク調製プロセスの間に、他のインク成分と共に混合されることができる。好ましい実施の形態では、インク成分は次の順序で混合される。（１）水、（２）インク中に存在する塩、（３）インク中に存在する共溶媒又は湿潤剤、（４）ポリ第４級化合物、（５）染料。塩及び／又は共溶媒及び／又は湿潤剤の添加よりも前にポリ第４級化合物及び染料が水へ添加されると沈殿した錯体が形成され、これは一般的には他のインク成分が添加された後、均一になるまでゆっくりと溶解する傾向にある。
【００４２】
また本発明は、本発明のインク組成物をインクジェットプリンタ内に組み込み、インク組成物の液滴を基体上へ画像パターンで噴出させることを伴うプロセスに関する。特に好ましい実施の形態では、プリンタはサーマルインクジェットプロセスを使用し、ノズル中のインクは画像パターンで選択的に加熱され、これによりインク滴が画像パターンで噴射される。 Xerox（登録商標） 4024 紙、 Xerox（登録商標）イメージシリーズ紙、コートランド4024ＤＰ紙、罫線ノート紙、ボンド紙、シャープ社製シリカコート紙等のシリカコート紙、及び十条紙のような普通紙、透明材料、布、繊維製品、プラスチック、高分子フィルム、金属及び木材等の無機基体等を含む適切な基体を用いることができる。好ましい実施の形態では、プロセスは多孔性又はインク吸収性の基体（普通紙等）上への印刷を伴う。
【００４３】
実施例Ｉ  
ベースのインク組成物は、次の成分の単純混合によって調製された。
【００４４】
【表１】
0004353572.tif 000013
【００４５】
その後、次表に示されるように、様々な量の３つの異なるカチオンアミドアミンコポリマー（次表にインク中に含まれるコポリマー固体のグラム数が示される。コポリマーはローヌプーランクにより６４重量パーセントのコポリマー及び３６重量パーセントの水を含む水溶液として提供されたため、インクは、添加されるコポリマー０．６４グラムにつきこの溶液から０．３６グラムの水を含んだ）、様々な量の脱イオン水（次表にコポリマー水溶液とは別に、インクに加えられた脱イオン水がグラム数で示される）、及びどの場合もインクの総量が１００グラムになるように予め調製された量のベースインク調合物を混合することによって、インク組成物は調製された。こうして調製されたインクは、 Xerox（登録商標）イメージシリーズLX紙上に７番マイヤ（Meier)ロッドを使用して手で被覆され、少なくとも２４時間空気乾燥された。インクは、加圧された（１００グラムの圧力）水飽和状態のフェルトの先端（マーキングペンに見られるものに類似）のインク画像全体にわたる移動（この動作は染料の幾らかを元の画像領域の外側及び隣接する未印刷領域上に転写させる）、及び未印刷領域に転写された染料の光学濃度の測定によってウェットスミア（ＷＳ）をテストされた。インクは、生成された画像からサンプルパッチをパンチし、蒸留水の入ったビーカーにそのパッチを浸漬し、攪拌棒をゆっくり動かすことにより水を攪拌し、５分後にパッチを取り出して空気乾燥させ、浸漬後の画像の光学濃度を測定することによって耐水性（ＷＦ）をテストされた。耐水性は割合（パーセント）、即ち（ＯＤfinal ÷ＯＤinitial ）×１００＝ＷＦとして計算された。また、画像の光学濃度（ＯＤ）も記録された。各インクの結果は、各インクの粘度（η：センチポアズ）と共に次表に示される。
【００４６】
【表２】
0004353572.tif 000014